(57)【要約】【課題】スロット部にスロット紙を挿入する際に、スロット紙の損傷を抑制することができるステータコア構造を実現する。【解決手段】本発明の一形態に係るステータコア構造１は、ヨーク部２ａから突出するティース部２ｂを覆う樹脂カフサ３を備え、隣接するティース部２ｂの間に形成されるスロット部２ｃにスロット紙５が挿入されるステータコア構造であって、樹脂カフサ３におけるティース部２ｂの先端部側の端部に、スロット紙５の開きを抑制するガイド部４が設けられており、ガイド部４は、スロット部２ｃを挟んでヨーク部２ａの周方向で向かい合うように配置されると共に、ティース部２ｂからスロット部２ｃの側に突出し、ガイド部４におけるスロット紙５の挿入側の端部は、スロット紙５の挿入方向に向かうに従ってティース部２ｂからスロット部２ｃの側に近づくように傾斜する。【選択図】図１
2018042404.tif 000002
【特許請求の範囲】
【請求項１】
ヨーク部から突出するティース部を覆う樹脂カフサを備え、隣接するティース部の間に形成されるスロット部にスロット紙が挿入されるステータコア構造であって、
前記樹脂カフサにおける前記ティース部の先端部側の端部に、前記スロット紙の開きを抑制するガイド部が設けられており、
前記ガイド部は、前記スロット部を挟んで前記ヨーク部の周方向で向かい合うように配置されると共に、前記ティース部から前記スロット部の側に突出し、
前記ガイド部における前記スロット紙の挿入側の端部は、前記スロット紙の挿入方向に向かうに従って前記ティース部から前記スロット部の側に近づくように傾斜する、ステータコア構造。
【発明の詳細な説明】
【技術分野】
【０００１】
本発明は、ステータコア構造に関する。
【背景技術】
【０００２】
一般的なステータコア構造は、スロット部に挿入されるコイルと絶縁するために、スロット部内に絶縁性のスロット紙を挿入している。このようなステータコア構造は、例えば、特許文献１に開示されているように、スロット紙のカフス部を保護したり、コイルとの隙間を埋めて当該コイルの浮きを防いだり、するために、ティース部を樹脂カフサによって覆っている。
【先行技術文献】
【特許文献】
【０００３】
【特許文献１】特開２０１４−１３５８６５号公報
【発明の概要】
【発明が解決しようとする課題】
【０００４】
特許文献１のステータコア構造のように、ティース部を樹脂カフサによって覆っている場合、スロット紙をスロット部に挿入する際に、樹脂カフサにおけるスロット紙の挿入側の端部に当該スロット紙が引っ掛かり、スロット紙が損傷する場合がある。
【０００５】
本発明は、上記を鑑みなされたものであって、スロット紙をスロット部に挿入する際に、スロット紙の損傷を抑制することができるステータコア構造を実現する。
【課題を解決するための手段】
【０００６】
本発明の一態様に係るステータコア構造は、ヨーク部から突出するティース部を覆う樹脂カフサを備え、隣接するティース部の間に形成されるスロット部にスロット紙が挿入されるステータコア構造であって、
前記樹脂カフサにおける前記ティース部の先端部側の端部に、前記スロット紙の開きを抑制するガイド部が設けられており、
前記ガイド部は、前記スロット部を挟んで前記ヨーク部の周方向で向かい合うように配置されると共に、前記ティース部から前記スロット部の側に突出し、
前記ガイド部における前記スロット紙の挿入側の端部は、前記スロット紙の挿入方向に向かうに従って前記ティース部から前記スロット部の側に近づくように傾斜する。
このような構成により、スロット紙をスロット部に挿入する際に、スロット紙におけるティース部の先端部側の端部が絞られるので、スロット紙の樹脂カフサ及びステータコアへの接触を抑制することができる。そのため、スロット紙の損傷を抑制することができる。
【発明の効果】
【０００７】
本発明によれば、スロット部にスロット紙を挿入する際に、スロット紙の損傷を抑制することができるステータコア構造を実現することができる。
【図面の簡単な説明】
【０００８】
【図１】実施の形態のステータコア構造を模式的に示す斜視図である。
【図２】図１のII部分を拡大して示す図である。
【図３】実施の形態のステータコア構造におけるスロット部周辺を拡大して示す平面図である。
【図４】図３のIV−IV矢視断面図である。
【図５】実施の形態のステータコア構造のスロット部にスロット紙を挿入中の様子を模式的に示す斜視図である。
【図６】実施の形態のステータコア構造のスロット部にスロット紙を挿入中の様子を模式的に示し、図４と対応する矢視断面図である。
【図７】実施の形態のステータコア構造のスロット部にスロット紙を挿入中の様子を模式的に示す平面図である。
【図８】実施の形態のステータコア構造のスロット部にスロット紙を挿入後の様子を模式的に示す斜視図である。
【図９】実施の形態のステータコア構造のスロット部にスロット紙を挿入後の様子を模式的に示す平面図である。
【発明を実施するための形態】
【０００９】
以下、本発明を適用した具体的な実施の形態について、図面を参照しながら詳細に説明する。但し、本発明が以下の実施の形態に限定される訳ではない。また、説明を明確にするため、以下の記載及び図面は、適宜、簡略化されている。
【００１０】
先ず、本実施の形態のステータコア構造の構成を説明する。図１は、本実施の形態のステータコア構造を模式的に示す斜視図である。図２は、図１のII部分を拡大して示す図である。図３は、本実施の形態のステータコア構造におけるスロット部周辺を拡大して示す平面図である。図４は、図３のIV−IV矢視断面図である。
【００１１】
本実施の形態のステータコア構造１は、図１及び図２に示すように、ステータコア２、樹脂カフサ３及びガイド部４を備えている。ステータコア２は、複数枚の電磁鋼板を積層して成り、円環状のヨーク部２ａ、ヨーク部２ａの中心から放射状に延在するティース部２ｂ、及びヨーク部２ａの周方向で隣接するティース部２ｂの間に形成されたスロット部２ｃを備えている。
【００１２】
このスロット部２ｃには、図２及び図３に示すように、絶縁性のスロット紙５が挿入され、さらにスロット紙５の内部にコイル６が挿入される。そして、ティース部２ｂの先端部には、図２及び図４に示すように、ヨーク部２ａの周方向で隣りに配置されたティース部２ｂに向かって突出する突出部２ｄが形成されており、当該突出部２ｄは、スロット紙５の挿入方向に延在している。なお、スロット部２ｃへのスロット紙５の挿入については後述する。
【００１３】
樹脂カフサ３は、図２及び図４に示すように、ティース部２ｂにおけるスロット紙５の挿入側の端部を覆う第１の部分３ａ、及び第１の部分３ａにおけるティース部２ｂの根元側の端部を互いに連結する円環状の第２の部分３ｂを備えている。
【００１４】
第１の部分３ａにおけるスロット紙５の挿入側の面３ｃは、図２及び図４に示すように、ティース部２ｂの延在方向から見て、ヨーク部２ａの周方向の略中央に頂部を有する湾曲面とされている。そのため、第１の部分３ａにおけるスロット紙５の挿入側の面３ｃは、スロット紙５の挿入方向に向かうに従って、当該頂部からスロット部２ｃの側に近づくように傾斜する。
【００１５】
ガイド部４は、スロット紙５の開きを抑制する。ガイド部４は、樹脂製であり、図３及び図４に示すように、樹脂カフサ３の第１の部分３ａにおけるティース部２ｂの先端部側の端部であって、樹脂カフサ３におけるヨーク部２ａの周方向で隣りに配置された樹脂カフサ３と向かい合う側面３ｄに設けられている。そのため、ガイド部４は、スロット部２ｃを挟んでヨーク部２ａの周方向で向かい合うように配置されている。また、ガイド部４は、ティース部２ｂの突出部２ｄをスロット紙５の挿入方向側から覆うように配置されている。但し、ガイド部４は、樹脂カフサ３と一体成形してもよい。
【００１６】
このようなガイド部４は、図４に示すように、ティース部２ｂにおけるヨーク部２ａの周方向で隣りに配置されたティース部２ｂと向かい合う面２ｅ（図５）からスロット部２ｃの側に突出している。そして、ガイド部４におけるスロット紙５の挿入側の面４ａは、樹脂カフサ３の第１の部分３ａにおけるスロット紙５の挿入側の面３ｃと略連続するように、スロット紙５の挿入方向に向かうに従ってティース部２ｂからスロット部２ｃの側に近づくように傾斜する。
【００１７】
次に、本実施の形態のステータコア構造１のスロット部２ｃにスロット紙５を挿入する際のガイド部４の機能を説明する。図５は、本実施の形態のステータコア構造のスロット部にスロット紙を挿入中の様子を模式的に示す斜視図である。図６は、本実施の形態のステータコア構造のスロット部にスロット紙を挿入中の様子を模式的に示し、図４と対応する矢視断面図である。図７は、本実施の形態のステータコア構造のスロット部にスロット紙を挿入中の様子を模式的に示す平面図である。図８は、本実施の形態のステータコア構造のスロット部にスロット紙を挿入後の様子を模式的に示す斜視図である。図９は、本実施の形態のステータコア構造のスロット部にスロット紙を挿入後の様子を模式的に示す平面図である。
【００１８】
スロット紙５は、図３及び図４に示すように、スロット紙５の挿入方向から見て、略四角筒状に折り曲げられており、ティース部２ｂの先端部の側に配置される部分に開口部５ａを備えている。詳細には、スロット紙５は、第１の面５ｂ、第１の面５ｂと向かい合う第２の面５ｃ、第１の面５ｂの一方の端部と第２の面５ｃの一方の端部とに連続し、第１の面５ｂ及び第２の面５ｃと略直交する第３の面５ｄ、第１の面５ｂの他方の端部と連続し、第１の面５ｂと略直交する第４の面５ｅ、第２の面５ｃの他方の端部と連続し、第２の面５ｃと略直交する第５の面５ｆ、及び第４の面５ｅと第５の面５ｆとの間に形成される開口部５ａを備えている。
【００１９】
このようなスロット紙５をステータコア２のスロット部２ｃに挿入する場合、図５乃至図７に示すように、スロット紙５の第４の面５ｅ及び第５の面５ｆの近傍がガイド部４の間を通過する。これにより、スロット紙５の第４の面５ｅ及び第５の面５ｆの近傍の間隔が絞られ、ステータコア２におけるヨーク部２ａの中心に近づくに従って、スロット紙５の第１の面５ｂと第２の面５ｃとの間隔が狭くなる。その結果、スロット紙５の第１の面５ｂ及び第２の面５ｃが、樹脂カフサ３の第１の部分３ａと略接触することなく、スロット紙５をスロット部２ｃに挿入することができる。しかも、ガイド部４がティース部２ｂの突出部２ｄをスロット紙５の挿入方向側から覆うので、スロット紙５の第４の面５ｅ及び第５の面５ｆがティース部２ｂの突出部２ｄに略接触することなく、スロット紙５をスロット部２ｃに挿入することができる。
【００２０】
その状態で、さらにスロット紙５をスロット部２ｃに挿入して当該スロット紙５がガイド部４を通過すると、図３、図４、図８及び図９に示すように、スロット紙５がスロット部２ｃに収容される。このとき、スロット紙５の弾性力によって当該スロット紙５がスロット部２ｃ内で拡がり、スロット紙５の第４の面５ｅ及び第５の面５ｆは夫々ティース部２ｂの突出部２ｄで折り曲げられた状態に維持される。
【００２１】
このように本実施の形態のステータコア構造１は、スロット紙５をスロット部２ｃに挿入する際に、スロット紙５が樹脂カフサ３及びステータコア２と略接触することなく、スロット紙５をスロット部２ｃに挿入することができる。そのため、スロット紙５の損傷を抑制することができる。
【００２２】
本発明は上記実施の形態に限られたものではなく、趣旨を逸脱しない範囲で適宜変更することが可能である。
【符号の説明】
【００２３】
１  ステータコア構造
２  ステータコア、２ａ  ヨーク部、２ｂ  ティース部、２ｃ  スロット部、２ｄ  突出部、２ｅ  ティース部における隣りに配置されたティース部と向かい合う面
３  樹脂カフサ、３ａ  第１の部分、３ｂ  第２の部分、３ｃ  第１の部分におけるスロット紙の挿入側の面、３ｄ  側面
４  ガイド部、４ａ  ガイド部におけるスロット紙の挿入側の面
５  スロット紙、５ａ  開口部、５ｂ  第１の面、５ｃ  第２の面、５ｄ  第３の面、５ｅ  第４の面、５ｆ  第５の面
６  コイル
【図１】
2018042404.tif 000003
【図２】
2018042404.tif 000004
【図３】
2018042404.tif 000005
【図４】
2018042404.tif 000006
【図５】
2018042404.tif 000007
【図６】
2018042404.tif 000008
【図７】
2018042404.tif 000009
【図８】
2018042404.tif 000010
【図９】
2018042404.tif 000011